(57)【特許請求の範囲】
【請求項１】
筐体と、
前記筐体に設けられ用紙に画像を形成する画像形成部と、
前記筺体に装着された位置である第１の位置と、当該筐体への装着が完了していない位置である第２の位置との間で移動可能に設けられ、当該第１の位置において吸入された空気又は排出される空気が内部を流れる空気流路部と、
前記空気流路部の前記内部に着脱可能に設けられ、当該空気流路部の当該内部を流れる空気を通過させることにより当該空気に含まれる物質を捕集する捕集部材と、
前記空気流路部が前記第２の位置から前記第１の位置まで移動することにともない、当該空気流路部の前記内部への装着が完了していない前記捕集部材を押圧し当該捕集部材を当該空気流路部の当該内部へと装着させる装着機構と
を含む画像形成装置。
【請求項２】
前記装着機構は、前記空気流路部に設けられ当該空気流路部の前記内部への装着が完了していない前記捕集部材を当該空気流路部に押し込む押し込み部と、前記第２の位置に配置されている当該空気流路部を前記第１の位置に移動させる動作により当該押し込み部を押圧し当該捕集部材を当該空気流路部に押し込む押圧部とを有することを特徴とする請求項１記載の画像形成装置。
【請求項３】
前記空気流路部は、前記捕集部材を引き出す開口である引き出し口を有し、
前記押し込み部は、前記空気流路部の前記引き出し口を覆うことを特徴とする請求項２記載の画像形成装置。
【請求項４】
前記押し込み部は、前記第２の位置から前記第１の位置まで移動する当該空気流路部の移動方向における下流側に回転軸を有し、当該空気流路部を当該第２の位置から当該第１の位置に移動させることにより前記押圧部に押圧され当該回転軸を中心に回転するとともに前記捕集部材を当該空気流路部に押し込むことを特徴とする請求項２記載の画像形成装置。
【請求項５】
前記押し込み部は、前記空気流路部に開閉可能に設けられ、かつ開かれることにより、前記第２の位置から前記第１の位置まで移動させることにともない前記押圧部により押圧される状態となることを特徴とする請求項２記載の画像形成装置。
【請求項６】
前記押圧部は、前記筐体に設けられ、前記押し込み部と接触する第１の接触部分と、当該第１の接触部分よりも前記第２の位置から前記第１の位置まで移動する当該空気流路部の移動方向における下流側であってかつ当該第１の接触部分よりも当該空気流路部側に設けられ当該押し込み部と接触する第２の接触部分とを有することを特徴とする請求項２記載の画像形成装置。
【請求項７】
前記捕集部材を支持し、当該捕集部材とともに前記空気流路部の前記内部に着脱可能に設けられ、当該捕集部材の下方において当該空気流路部の当該内部を流れる空気の上流側に突出する突出部を有する枠体をさらに含むことを特徴とする請求項１記載の画像形成装置。
【請求項８】
前記捕集部材は、前記空気流路部の前記内部で空気が流れる方向において複数並んで設けられることを特徴とする請求項１記載の画像形成装置。
【請求項９】
筐体構造と、
前記筐体構造に設けられ、画像形成装置に対して当該筐体構造を着脱可能に固定する固定部と、
前記筺体構造に装着された位置である第１の位置と、当該筐体構造への装着が完了していない位置である第２の位置との間で移動可能に設けられ、当該第１の位置において吸入された空気又は排出される空気が内部を流れる空気流路部と、
前記空気流路部の前記内部に着脱可能に設けられ、当該空気流路部の当該内部を流れる空気を通過させることにより当該空気に含まれる物質を捕集する捕集部材と、
前記空気流路部が前記第２の位置から前記第１の位置まで移動することにともない、当該空気流路部の前記内部への装着が完了していない前記捕集部材を押圧し当該捕集部材を当該空気流路部の当該内部へと装着させる装着機構と
を含む捕集装置。
【発明の詳細な説明】
【技術分野】
【０００１】
本発明は、画像形成装置及び捕集装置に関する。
【背景技術】
【０００２】
画像形成装置として、イオン発生器を有する空気清浄機を内蔵し、室内の空気を浄化しながらも、イオン発生器のイオン発生効率を長期にわたって維持することを課題とするものが存在する。具体的にはこの画像形成装置は、換気装置の各排気ファン及び空気清浄機の吸気口を画像形成装置の本体筐体の相互に対向するそれぞれの側壁部に設け、換気装置の各排気ファンを空気清浄機の吸気口よりも高い位置に設けたことから、換気装置の各排気ファンから排出されシリコンが空気清浄機の吸気口に吸引されることは殆どなく、このシリコンがイオン発生器の放電電極に殆ど付着せず、イオン発生器のイオン発生効率を長期にわたって維持することができる（特許文献１参照）。
【先行技術文献】
【特許文献】
【０００３】
【特許文献１】特開２０１１−８５６１５号公報
【発明の概要】
【発明が解決しようとする課題】
【０００４】
本発明は、空気流路部を筐体に装着する動作にともない捕集部材が損傷を受けることを抑制する。
【課題を解決するための手段】
【０００５】
請求項１記載の発明は、筐体と、前記筐体に設けられ用紙に画像を形成する画像形成部と、前記筺体に装着された位置である第１の位置と、当該筐体への装着が完了していない位置である第２の位置との間で移動可能に設けられ、当該第１の位置において吸入された空気又は排出される空気が内部を流れる空気流路部と、前記空気流路部の前記内部に着脱可能に設けられ、当該空気流路部の当該内部を流れる空気を通過させることにより当該空気に含まれる物質を捕集する捕集部材と、前記空気流路部が前記第２の位置から前記第１の位置まで移動することにともない、当該空気流路部の前記内部への装着が完了していない前記捕集部材を押圧し当該捕集部材を当該空気流路部の当該内部へと装着させる装着機構とを含む画像形成装置である。
請求項２記載の発明は、前記装着機構は、前記空気流路部に設けられ当該空気流路部の前記内部への装着が完了していない前記捕集部材を当該空気流路部に押し込む押し込み部と、前記第２の位置に配置されている当該空気流路部を前記第１の位置に移動させる動作により当該押し込み部を押圧し当該捕集部材を当該空気流路部に押し込む押圧部とを有することを特徴とする請求項１記載の画像形成装置である。
請求項３記載の発明は、前記空気流路部は、前記捕集部材を引き出す開口である引き出し口を有し、前記押し込み部は、前記空気流路部の前記引き出し口を覆うことを特徴とする請求項２記載の画像形成装置である。
請求項４記載の発明は、前記押し込み部は、前記第２の位置から前記第１の位置まで移動する当該空気流路部の移動方向における下流側に回転軸を有し、当該空気流路部を当該第２の位置から当該第１の位置に移動させることにより前記押圧部に押圧され当該回転軸を中心に回転するとともに前記捕集部材を当該空気流路部に押し込むことを特徴とする請求項２記載の画像形成装置である。
【０００６】
請求項５記載の発明は、前記押し込み部は、前記空気流路部に開閉可能に設けられ、かつ開かれることにより、前記第２の位置から前記第１の位置まで移動させることにともない前記押圧部により押圧される状態となることを特徴とする請求項２記載の画像形成装置である。
請求項６記載の発明は、前記押圧部は、前記筐体に設けられ、前記押し込み部と接触する第１の接触部分と、当該第１の接触部分よりも前記第２の位置から前記第１の位置まで移動する当該空気流路部の移動方向における下流側であってかつ当該第１の接触部分よりも当該空気流路部側に設けられ当該押し込み部と接触する第２の接触部分とを有することを特徴とする請求項２記載の画像形成装置である。
請求項７記載の発明は、前記捕集部材を支持し、当該捕集部材とともに前記空気流路部の前記内部に着脱可能に設けられ、当該捕集部材の下方において当該空気流路部の当該内部を流れる空気の上流側に突出する突出部を有する枠体をさらに含むことを特徴とする請求項１記載の画像形成装置である。
請求項８記載の発明は、前記捕集部材は、前記空気流路部の前記内部で空気が流れる方向において複数並んで設けられることを特徴とする請求項１記載の画像形成装置である。
請求項９記載の発明は、筐体構造と、前記筐体構造に設けられ、画像形成装置に対して当該筐体構造を着脱可能に固定する固定部と、前記筺体構造に装着された位置である第１の位置と、当該筐体構造への装着が完了していない位置である第２の位置との間で移動可能に設けられ、当該第１の位置において吸入された空気又は排出される空気が内部を流れる空気流路部と、前記空気流路部の前記内部に着脱可能に設けられ、当該空気流路部の当該内部を流れる空気を通過させることにより当該空気に含まれる物質を捕集する捕集部材と、前記空気流路部が前記第２の位置から前記第１の位置まで移動することにともない、当該空気流路部の前記内部への装着が完了していない前記捕集部材を押圧し当該捕集部材を当該空気流路部の当該内部へと装着させる装着機構とを含む捕集装置である。
【発明の効果】
【０００７】
請求項１記載の発明によれば、本構成を有しない場合に比較して、空気流路部を筐体に装着する動作にともない捕集部材が損傷を受けることを抑制することができる。
請求項２記載の発明によれば、本構成を有しない場合に比較して、空気流路部を筐体に装着する動作にともない捕集部材が受ける衝撃を抑制することができる。
請求項３記載の発明によれば、本構成を有しない場合に比較して、引き出し口から空気流路部に空気が流入することを抑制することができる。
請求項４記載の発明によれば、本構成を有しない場合に比較して、簡易な構成により、空気流路部を筐体に装着する動作にともない捕集部材を空気流路部に押し込むことができる。
【０００８】
請求項５記載の発明によれば、本構成を有しない場合に比較して、押し込み部が押圧されることなく空気流路部が筐体に装着されることが抑制される。
請求項６記載の発明によれば、本構成を有しない場合に比較して、押圧部がより確実に押し込み部を捕集部材側に押圧することができる。
請求項７記載の発明によれば、本構成を有しない場合に比較して、捕集部材から落下する例えば塵埃を、空気流路部内から容易に取り除くことができる。
請求項８記載の発明によれば、本構成を有しない場合に比較して、空気流路部を筐体に装着する動作にともない各捕集部材が損傷を受けることを抑制することができる。
請求項９記載の発明によれば、本構成を有しない場合に比較して、空気流路部を筐体構造に装着する動作にともない捕集部材が損傷を受けることを抑制することができる。
【図面の簡単な説明】
【０００９】
【図１】本実施の形態が適用される画像形成装置を示す概略構成図である。
【図２】本実施の形態が適用される画像形成装置を示す斜視図である。
【図３】本実施の形態が適用される空気清浄部を示す斜視図である。
【図４】本実施の形態が適用される空気清浄部の上面図である。
【図５】カセットが収容された状態の空気清浄部の上面図である。
【図６】第１フィルタを示す概略構成図である。
【図７】ガイド部材周辺を示す説明図である。
【図８−１】ガイド部材の動作を示す説明図である。
【図８−２】ガイド部材の動作を示す説明図である。
【図９】インナーカバー及びフィルタの位置関係を示す説明図である。
【図１０】変形例における空気清浄部を示す斜視図である。
【図１１】変形例におけるガイド部材を示す斜視図である。
【発明を実施するための形態】
【００１０】
以下、添付図面を参照して、本発明の実施の形態について詳細に説明する。
＜画像形成装置１００＞
図１は、本実施の形態が適用される画像形成装置１００を示す概略構成図である。図１に示す画像形成装置１００は、所謂タンデム型のカラープリンタである。この画像形成装置１００は、各色の画像データに対応して画像形成を行う画像形成部１０と、画像形成装置１００全体の動作を制御する制御部２０とを備えている。また、画像形成装置１００は、画像形成装置１００の上方側に設けられ、原稿の画像を読み取るスキャナにより構成される画像読取装置３０を備えている。さらに、画像形成装置１００は、画像形成部１０に用紙Ｓを供給する用紙供給部４０を備えている。
【００１１】
ここで、画像形成装置１００の各構成部材は、本体筺体（筐体）５０の内部に収容されている。また、画像読取装置３０の下方であって本体筺体５０の上部の面には、画像形成部１０によって画像が形成された用紙Ｓが積載される積載面をもつ胴内積載部６０が設けられている。さらに、画像形成装置１００は、画像形成装置１００の外部の空気を画像形成装置１００内に取り込み清浄する空気清浄部７０を備えている。
【００１２】
＜画像形成部１０＞
画像形成部１０には、一定の間隔をおいて並列的に配置される４つの画像形成ユニット１Ｙ，１Ｍ，１Ｃ，１Ｋが備えられている。各画像形成ユニット１Ｙ，１Ｍ，１Ｃ，１Ｋは、静電潜像を形成してトナー像を保持する感光体ドラム１２を備えており、いわゆる電子写真方式によってトナー像を形成する。ここで、各画像形成ユニット１Ｙ，１Ｍ，１Ｃ，１Ｋは、現像装置に収納されるトナーを除いて、同様に構成される。そして、各画像形成ユニット１Ｙ，１Ｍ，１Ｃ，１Ｋは、それぞれがイエロー（Ｙ）、マゼンタ（Ｍ）、シアン（Ｃ）、黒（Ｋ）のトナー像を形成する。このようなことから、以下の説明においては、画像形成ユニット１Ｙ、１Ｍ、１Ｃ、１Ｋの各構成についてはそれぞれ「Ｙ」、「Ｍ」、「Ｃ」、「Ｋ」という符号を付して区別するが、区別する必要のないときは、これらの符号は付さない。
【００１３】
また、画像形成部１０は、各画像形成ユニット１の感光体ドラム１２上に形成された各色トナー像が転写される中間転写ベルト１３を備えている。また、画像形成部１０は、各画像形成ユニット１にて形成された各色トナー像を中間転写ベルト１３に順次転写（一次転写）する一次転写ロール１７を備えている。さらに、画像形成部１０は、中間転写ベルト１３上に重畳して形成された各色トナー像を記録材（記録紙）である用紙Ｓに一括転写（二次転写）する二次転写部１９と、二次転写された各色トナー像を用紙Ｓに定着させる定着装置２１とを備えている。
さらにまた、画像形成部１０は、定着装置２１によってトナー像が定着された用紙Ｓの通過を検知するエグジットセンサ２２を備える。さらにまた、このエグジットセンサ２２を通過した用紙Ｓを胴内積載部６０に排出する胴内排出ロール２３を備える。
【００１４】
用紙供給部４０は、用紙収容部４１、繰り出しロール４３、捌きロール４５、及びレジロール４７を備える。用紙収容部４１は、用紙Ｓを収容する。繰り出しロール４３は、用紙収容部４１の上部に配設され、用紙収容部４１に収容される用紙Ｓの束のうち、最上位の用紙Ｓを繰り出す。捌きロール４５は、繰り出しロール４３にて繰り出された用紙Ｓを１枚ずつに捌いて搬送する。また、レジロール４７は、捌きロール４５によって捌いて搬送された用紙Ｓを一旦停止させ、タイミングを合わせて回転を再開することにより二次転写部１９に対して用紙Ｓを供給する。
【００１５】
＜空気清浄部７０の構造＞
次に、図２を参照しながら、空気清浄部７０について説明をする。図２は、本実施の形態が適用される画像形成装置１００を示す斜視図である。
本実施の形態において、捕集装置の一例である空気清浄部７０は、画像形成装置１００の下方に設けられている。より具体的には、空気清浄部７０は用紙供給部４０の下方に設けられており、用紙供給部４０に対して着脱可能である。
この空気清浄部７０は、引き出し可能（図２の矢印Ａ１及びＡ２参照）なカセット７１と、カセット７１を引き出し可能に支持するとともに内部にカセット７１を収容する筐体７３とを有する。以下で、カセット７１と筐体７３とを説明する。
【００１６】
＜カセット７１＞
まず、図３乃至５を参照しながら、カセット７１について説明をする。図３は、本実施の形態が適用される空気清浄部７０を示す斜視図である。図４は、本実施の形態が適用される空気清浄部７０の上面図である。より詳細には、図４（ａ）は、カセット７１が引き出された状態の空気清浄部７０の上面図であり、図４（ｂ）は、インナーカバー７７の先端部７７１を示す概略構成図である。図５は、カセット７１が収容された状態の空気清浄部７０の上面図である。
【００１７】
図３に示すように、カセット７１は、画像形成装置１００のフロント側（図１の紙面手前側）に設けられる板状部材であるフロント板７１０と、このフロント板７１０と連続して設けられ内部に空気が流れる空間を有する略直方体の部材であるダクト（管路、空気流路部）７２とを有する。
フロント板７１０には、ユーザが指を掛けカセット７１を引き出すための把手部７１１と、フロント板７１０におけるフロント側（図１の紙面手前側）に設けられ空気清浄部７０内に空気を取り込む空気口（ルーバ）７１３が設けられている。
【００１８】
また、ダクト７２は、画像形成装置１００のフロント側（図１の紙面手前側）からリア側（図１の紙面奥側）に向けて延び、空気口７１３から取り込まれた空気をリア側（図１の紙面奥側）に配置されたファン７９（後述）へと流す流路を形成する。
【００１９】
本実施の形態おいては、カセット７１は、ダクト７２の側方に、複数のフィルタ７５（後述）を挿入するために形成された複数の挿入口（引き出し口）７２１を有する。また、図４（ａ）に示すように、カセット７１は、ダクト７２におけるリア側（図１の紙面奥側）に、ファン７９へ導かれる空気の流路を絞り込む絞り部７６を有する。
さらにまた、カセット７１は、空気中の浮遊物を吸着除去して空気を浄化するフィルタ７５（７５１、７５２、７５３、７５４）を有する。さらにカセット７１は、開閉可能に設けられ（矢印Ｃ１及びＣ２参照）、フィルタ７５が挿入された状態でダクト７２の側方を覆うインナーカバー７７（後述）を有する。
【００２０】
＜フィルタ７５＞
ここで、図３乃至６を参照しながら、フィルタ７５について説明をする。図６は、第１フィルタ７５１を示す概略構成図である。
本実施の形態において、捕集部材あるいは空気清浄材の一例であるフィルタ７５は、空気中の比較的大きな塵埃を捕集する粗フィルタからなる第１フィルタ（プレフィルタ）７５１と、空気中の比較的小さな塵埃を捕集する細フィルタからなる第２フィルタ７５２と、ダニ、カビ、花粉、細菌、ウイルスなどを捕集する第３フィルタ７５３と、ガス状物質などからなる臭気物質を捕集する第４フィルタ７５４とを備える。
【００２１】
図示の例においては、画像形成装置１００のフロント側（図１の紙面手前側）からリア側（図１の紙面奥側）に向けて、第１フィルタ７５１、第２フィルタ７５２、第３フィルタ７５３、第４フィルタ７５４の順で設けられている。なお、フィルタの個数、種類、順番等はこれに限定されるものではない。
【００２２】
また、図５に示すように、フィルタ７５は、ダクト７２内に設けられる。具体的には、フィルタ７５は、ダクト７２により形成される空気流（矢印Ｄ参照）の経路に対してフィルタ本体７５０の面が交差するように配置されている。さらに説明をすると、フィルタ７５が、空気流の流路に交差する向きにおける流路の断面全体に広がるように配置されている。
また、図３に示すように、このフィルタ７５は、ダクト７２から引き出し可能（図中矢印Ｂ１及びＢ２参照）に設けられている。さらに、本実施の形態におけるフィルタ７５は、ダクト７２に対して水平方向に引き出し可能である。
【００２３】
さて、フィルタ７５の構造について詳細に説明をする。なお、ここでは、第１フィルタ７５１を用いて説明するが、第２フィルタ７５２、第３フィルタ７５３、第４フィルタ７５４もフィルタ本体７５０（後述）以外は、同様に構成されている。
図６に示すように、第１フィルタ７５１は、樹脂等の繊維状の部材からなるフィルタ本体７５０と、フィルタ本体７５０の外周を保持する枠体７５６とを有する。
【００２４】
ここで、枠体７５６は、ダクト７２（図３参照）に挿入されたフィルタ７５を引き出す（矢印Ｂ２参照）際に、ユーザが把持する把持部７５５を有する。
また、枠体７５６は、フィルタ本体７５０が捕集した塵埃等のうち、フィルタ本体７５０から落下する塵埃等を受ける受け部（突出部）７５７を有する。
【００２５】
この受け部７５７は枠体７５６と連続して設けられ、フィルタ本体７５０よりも空気流（矢印Ｄ参照）の上流側であって、フィルタ本体７５０の下方に設けられる。例えばカセット７１が空気清浄部７０に挿入されることに伴い第１フィルタ７５１が衝撃を受け、フィルタ本体７５０に付着していた塵埃等がフィルタ本体７５０から落下した場合であっても、受け部７５７がこの塵埃を受ける。このことにより、ダクト７２内に塵埃等が落下することが抑制される。さらに説明をすると、受け部７５７が受けた塵埃等は、第１フィルタ７５１をダクト７２から引き出すことにより、ダクト７２とともに空気清浄部７０の外部へと取り出される。
【００２６】
また、枠体７５６は、ダクト７２（図３参照）に第１フィルタ７５１を予め挿入しておく部分を示すマーク７５９を備える（後述）。ここで、本実施の形態においては、マーク７５９は枠体７５６から突出する突起状に形成されている。なお、マーク７５９は、ユーザが認識できる構成であれば、枠体７５６の一部の色を変化させる構成や溝により構成されてもよい。
【００２７】
＜インナーカバー７７＞
次に、図３乃至５を参照して、インナーカバー７７について説明をする。
インナーカバー７７は、板状部材であり、ダクト７２の側方に配置されている。また、インナーカバー７７は、一端を中心に回転可能となるようにダクト７２に設けられており、ダクト７２に対して開閉可能である。
【００２８】
ここで、インナーカバー７７は、ダクト７２の側方に複数設けられている挿入口７２１を全て覆う寸法で構成されている。また、インナーカバー７７は、閉じられた状態において、挿入口７２１が設けられているダクト７２の側方を覆うことにより、挿入口７２１を通してダクト７２へ空気が流れ込むことを抑制する。
【００２９】
さらに、インナーカバー７７は、ユーザによってカセット７１が筐体７３に挿入される向き（矢印Ａ１参照）における下流側の端部、すなわち画像形成装置１００のリア側（図１の紙面奥側）の端部に回転軸７７０を有する。この回転軸７７０は、上下方向に沿うように配置される。よって、インナーカバー７７は、回転軸７７０を中心として水平面内において回転可能である（図３の矢印Ｃ１及びＣ２参照）。このことにより、インナーカバー７７は、開いている状態（図４（ａ）参照）と閉じている状態（図５参照）とを切り替えることが可能となる。
【００３０】
また、図４（ａ）及び図４（ｂ）に示すように、インナーカバー７７は、回転軸７７０が設けられた側とは反対側の先端部７７１に、インナーカバー７７が閉じた状態においてダクト７２の一部に掛かり合う爪部７７５を有する。また、インナーカバー７７は、この先端部７７１に、インナーカバー７７が閉じた状態においてダクト７２側とは反対側に突出する突起部７７３を有する。
【００３１】
インナーカバー７７は、カセット７１を筐体７３内へ収容することにともない、ガイド部材７４（後述）に押圧されながら回転軸７７０を中心に回転する（矢印Ｃ１参照）。そして、この回転により、インナーカバー７７は閉じられる。また、インナーカバー７７が閉じられることにともない、インナーカバー７７は完全にダクト７２内に挿入されていないフィルタ７５をダクト７２内に押し込む。
【００３２】
＜筐体７３＞
次に、図３乃至５を参照して、筐体（筐体構造）７３について説明をする。
まず、図４（ａ）に示すように、筐体７３は、カセット７１が挿入される動作にともないインナーカバー７７と接触しインナーカバー７７を閉じるガイド部材７４（後述）を有する。なお、本実施の形態における筐体７３は、本体筺体５０の一部を構成する。
【００３３】
また、筐体７３は、カセット７１の引き出し方向（図２の矢印Ａ１及びＡ２参照）に延び、カセット７１を引き出し可能に支持するレール７８を有する。また、筐体７３は、リア側（図１の紙面奥側）に、外部の空気を空気清浄部７０内へ取り込みフィルタ７５を通過させるファン７９を有する。さらに、筐体７３は、ファン７９が取り込んだ空気を空気清浄部７０（画像形成装置１００（図１参照））の外へ排出する排出口７９０を有する。
さらにまた、図３に示すように、筐体７３は、上方に配置される用紙供給部４０（図１参照）を受けるとともに、着脱可能に固定するための固定部である固定孔７３１、固定ピン７３２、支持板７３３を有する。
【００３４】
＜ガイド部材７４＞
次に、図４及び図７を参照して、ガイド部材７４について説明をする。図７は、ガイド部材７４周辺を示す説明図である。
図４（ａ）に示すように、ガイド部材７４は、画像形成装置１００（図１参照）のフロント側（図１の紙面手前側、図４（ａ）の紙面左側）であって、かつ筐体７３に挿入されるカセット７１の側方に対向するように筐体７３に設けられている。さらに説明をすると、ガイド部材７４は、カセット７１が筐体７３に挿入される動作にともない、カセット７１に設けられ開いている状態のインナーカバー７７が移動する移動経路に沿って設けられている。
【００３５】
図７に示すように、ガイド部材７４は、画像形成装置１００のフロント側（図１の紙面手前側、図７の紙面左側）に突出しかつ開いたインナーカバー７７と接触する第１接触面（第１の接触部分）７４１と、ダクト７２側を向いた面であり、開いたインナーカバー７７をダクト７２側へ押す第２接触面（第２の接触部分）７４２と、ダクト７２側を向いた面であり、開いたインナーカバー７７を第２接触面７４２よりもさらにダクト７２側へ押す第３接触面７４３とを有する。図示の例においては、第２接触面７４２は、第１接触面７４１を基準として、カセット７１が挿入される方向（矢印Ａ１参照）の下流側でかつインナーカバー７７側に位置する。第３接触面７４３は、第２接触面７４２を基準として、カセット７１が挿入される方向（矢印Ａ１参照）の下流側でかつインナーカバー７７側に位置する。
【００３６】
ここで、インナーカバー７７とガイド部材７４とは、装着機構として捉えることができる。また、インナーカバー（押し込み部）７７とガイド部材（押圧部）７４とは次のように配置されている。すなわち、カセット７１が筐体７３に挿入される（矢印Ａ１参照）とともに、ガイド部材７４が開いた状態のインナーカバー７７に接触しインナーカバー７７が閉じるよう、インナーカバー７７とガイド部材７４とが配置されている。さらに説明をすると、カセット７１が筐体７３に挿入される方向（矢印Ａ１参照）において、ガイド部材７４は開いたインナーカバー７７の下流側に位置する。
また、インナーカバー７７が閉じることにより、インナーカバー７７によってフィルタ７５がダクト７２内に押し込まれるようインナーカバー７７が配置されている。さらに説明をすると、インナーカバー７７が閉じる方向（矢印Ｃ１参照）において、フィルタ７５はインナーカバー７７よりもダクト７２側に位置する。
【００３７】
上述のように装着機構を構成することで、カセット７１が筐体７３に挿入される（矢印Ａ１参照）とともに、ガイド部材７４が開いた状態のインナーカバー７７に接触する。ガイド部材７４と接触したインナーカバー７７は、ガイド部材７４から画像形成装置１００（図１参照）のフロント側（図１の紙面手前側）に向かう力を受けることにより、画像形成装置１００のリア側（図１の紙面奥側）の端部に設けられた回転軸７７０を中心に回転する（矢印Ｃ１参照）。このインナーカバー７７の回転方向は、インナーカバー７７が閉じる方向である。そして、インナーカバー７７が閉じられるとともに、インナーカバー７７がフィルタ７５と接触する。インナーカバー７７と接触したフィルタ７５は、インナーカバー７７によってさらに押圧されることによりダクト７２内に押し込まれる。
【００３８】
さて、上述のようにインナーカバー７７が開いた状態において、カセット７１が筐体７３に挿入される（矢印Ａ１参照）と、インナーカバー７７はガイド部材７４によって閉じられる。そして、閉じられるインナーカバー７７はフィルタ７５をダクト７２内に押し込む。言い替えると、本実施の形態におけるインナーカバー７７を開く動作により、インナーカバー７７はフィルタ７５を押し込み得る状態となる。
【００３９】
さらに説明をすると、インナーカバー７７が閉じられた状態では、上述のようにインナーカバー７７がフィルタ７５を覆うことから、フィルタ７５を交換する際（後述）には、インナーカバー７７を開くことが必要である。したがって、本実施の形態においてフィルタ７５を交換する状態は、インナーカバー７７が開かれている状態、すなわちインナーカバー７７がフィルタ７５を押し込み得る状態である。
このことにより、フィルタ７５がインナーカバー７７により押し込まれることなく、カセット７１が筐体７３に挿入される（矢印Ａ１参照）ことが抑制される。付言すると、本実施の形態においては、インナーカバー７７が機能を発揮するために、例えばインナーカバー７７を予め定めた位置や向きに配置する等のユーザによる操作を必要としない。
【００４０】
＜空気清浄部７０の状態＞
次に、図４（ａ）及び図５を参照しながら、カセット７１が筐体７３から引き出された空気清浄部７０の状態と、カセット７１が筐体７３に収容された空気清浄部７０とについて説明をする。
まず、図４（ａ）に示すように、カセット７１が引き出された空気清浄部７０においては、ダクト７２が外部に露出しており、インナーカバー７７が回転軸７７０を中心に回転可能な状態である（矢印Ｃ１及びＣ２参照）。すなわち、インナーカバー７７は開閉可能な状態である。また、図４（ａ）に示すように、カセット７１が筐体７３から引き出された状態でかつインナーカバー７７が開いた状態においては、フィルタ７５がダクト７２に対して引き出し及び挿入可能な状態である（矢印Ｂ１及びＢ２参照）。
【００４１】
一方、図５に示すように、カセット７１が筐体７３に収容された空気清浄部７０においては、インナーカバー７７がダクト７２に沿った状態となる。すなわち、インナーカバー７７が閉じた状態となる。この閉じた状態のインナーカバー７７の先端部７７１に設けられた爪部７７５は、ダクト７２の一部と掛かり合っている（図７参照）。また、閉じた状態のインナーカバー７７のダクト７２側の面は、各フィルタ７５と接触しており、各フィルタ７５が矢印Ｂ１及びＢ２方向に移動することを抑制している。
【００４２】
なお、図５に示すように、カセット７１が筐体７３に収容された状態におけるダクト７２の位置を第１の位置として捉えることができ、図４（ａ）に示すようにカセット７１が引き出された状態（筐体７３への装着が完了していない状態）におけるダクト７２の位置を第２の位置として捉えることができる。
【００４３】
＜空気清浄部７０の動作＞
次に、空気清浄部７０の動作について説明をする。
まず、制御部２０（図１参照）により制御されるファン７９が駆動することにより、空気口７１３（図３参照）を介して画像形成装置１００（図１参照）の外部の空気が取り込まれる。
【００４４】
そして、図５に示すように、取り込まれた空気は、ダクト７２内を流れ（矢印Ｄ参照）、第１フィルタ７５１、第２フィルタ７５２、第３フィルタ７５３、第４フィルタ７５４を通過する。各フィルタ７５を通過することにより、空気中の浮遊物が各フィルタ７５により吸着除去され、空気が浄化される。
浄化された空気は、絞り部７６により流路が絞られた領域を通過した後、ファン７９及び排出口７９０を介して、画像形成装置１００（図１参照）の外部、すなわち空気清浄部７０の外部へと排出される。
【００４５】
さて、空気清浄部７０が予め定められた期間使用された後に、空気清浄部７０の空気清浄機能を維持するため、ユーザによってフィルタ７５が交換もしくは洗浄される。例えば、第１フィルタ７５１は１ヶ月ごとに洗浄され、第２フィルタ７５２、第３フィルタ７５３、及び第４フィルタ７５４は６ヶ月ごとに交換される。
【００４６】
ここで、フィルタ７５を交換する際の、空気清浄部７０の動作について説明をする。
まず、図５に示すように、筐体７３へ収納されているカセット７１がユーザによって画像形成装置１００のフロント側（図１の紙面手前側）に引き出される（矢印Ａ２参照）。
そして、図４（ａ）に示すように、引き出されたカセット７１におけるダクト７２の側方であって、ダクト７２に沿って配置されている（閉じている）インナーカバー７７を開く（矢印Ｃ２参照）。その後に、ダクト７２の挿入口７２１に挿入されているフィルタ７５がユーザによって引き出される（矢印Ｂ２参照）。
そして、新たなフィルタ７５（あるいは引き出され洗浄されたフィルタ７５）が、ダクト７２の挿入口７２１に挿入された後（矢印Ｂ１参照）、インナーカバー７７が閉じられる（矢印Ｃ１参照）。その後に、カセット７１が筐体７３へ収納される（矢印Ａ１参照）。
【００４７】
＜ガイド部材７４の動作＞
次に、図８―１及び図８―２を参照しながら、ガイド部材７４の動作について説明をする。図８は、ガイド部材７４の動作を示す説明図である。
ここで、図８（ａ―１）及び（ａ―２）に示す状態では、カセット７１は筐体７３から引き出され、インナーカバー７７は開いている。また、フィルタ７５は、それぞれの全体がダクト７２に挿入されている状態ではなく、一部がダクト７２内から突出している状態である。
【００４８】
例えば、ユーザによりフィルタ７５がダクト７２へ挿入される操作が完全に行われない（半装着の状態、完全な装着位置に配置されていない状態）と、上述のようにフィルタ７５の一部がダクト７２内から突出している状態となる。この状態において、ユーザがカセット７１を筐体７３内へ収容することで、インナーカバー７７が閉じられフィルタ７５がダクト７２内へ挿入される。さらに説明をすると、ユーザがカセット７１を筐体７３内へ収容することに連動して、ガイド部材７４及びインナーカバー７７が、フィルタ７５をダクト７２内に挿入する。
【００４９】
以下具体的に説明をする。
まず、図８（ａ―１）及び（ａ―２）に示すように、ユーザによってカセット７１が筐体７３内へ収容される（矢印Ａ１参照）ことにともない、インナーカバー７７がガイド部材７４に接近し、インナーカバー７７とガイド部材７４の第１接触面７４１とが接触する。第１接触面７４１に押圧されるインナーカバー７７は、回転軸７７０を中心に回転し始める（矢印Ｃ１参照）。
【００５０】
そして、図８（ｂ―１）及び（ｂ―２）に示すように、ユーザによって、カセット７１が筐体７３内へさらに押し込まれる（矢印Ａ１参照）ことにともない、第２接触面７４２がインナーカバー７７と接触しながら、ガイド部材７４がインナーカバー７７をさらに回転させる（矢印Ｃ１参照）。そして、図８（ｂ−２）に示すように、一部がダクト７２から突出している第４フィルタ７５４の把持部７５５と接触する。この状態においてインナーカバー７７がさらに回転する（矢印Ｃ１）ことにともない、インナーカバー７７によって第４フィルタ７５４は押圧されダクト７２内へ挿入される（矢印Ｂ１参照）。
【００５１】
そして、図８（ｃ―１）及び（ｃ―２）に示すように、ユーザによって、カセット７１が筐体７３内へさらに押し込まれる（矢印Ａ１参照）ことにともない、第３接触面７４３がインナーカバー７７と接触しながら、ガイド部材７４がインナーカバー７７をさらに回転させる（矢印Ｃ１参照）。インナーカバー７７は、さらに回転することに伴い、ダクト７２から突出している第３フィルタ７５３、第２フィルタ７５２、及び第１フィルタ７５１とも接触し押圧する。そして、この状態においてインナーカバー７７がさらに回転する（矢印Ｃ１）ことにともない、第３フィルタ７５３、第２フィルタ７５２、及び第１フィルタ７５１がダクト７２内へ挿入される（矢印Ｂ１参照）。
【００５２】
その後に、図８（ｄ―１）及び（ｄ―２）に示すように、ユーザによって、カセット７１が筐体７３内へさらに押し込まれる（矢印Ａ１参照）ことにともない、インナーカバー７７においてダクト７２側とは反対側に突出する突起部７７３が、第３接触面７４３に沿って矢印Ａ１方向に移動する。この突起部７７３が第３接触面７４３に沿って移動する際に、突起部７７３が第３接触面７４３と接触し第３接触面７４３からダクト７２側に力を受ける。そして、インナーカバー７７のダクト７２側に設けられた爪部７７５が、ダクト７２と掛かり合う。よって、インナーカバー７７がダクト７２から離間することが抑制される状態となる。
【００５３】
以上により、ガイド部材７４及びインナーカバー７７によって、第４フィルタ７５４の全体がダクト７２に挿入される。同様に、ガイド部材７４及びインナーカバー７７によって、第３フィルタ７５３、第２フィルタ７５２、及び第１フィルタ７５１も、それぞれの全体がダクト７２に挿入される。
【００５４】
さて、上述のように、ユーザがカセット７１を筐体７３内へ収容することにともない、ガイド部材７４及びインナーカバー７７がフィルタ７５をダクト７２内に収容させることで、フィルタ７５が破損することが抑制される。
例えば本実施の形態とは異なり、ガイド部材７４及びインナーカバー７７を有しない構成の場合、ダクト７２内へフィルタ７５の全体が挿入されていない状態でカセット７１を筐体７３内へ収容すると、フィルタ７５が破損することがある。さらに説明すると、カセット７１が筐体７３内へ収容されることにともない、一部が突出しているフィルタ７５が、フロント板７１０と筐体７３とによって挟まれ、破損することがある。
【００５５】
一方、本実施の形態においては、上述のようにカセット７１を筐体７３内へ収容することにともない、ガイド部材７４及びインナーカバー７７が協働して、一部が突出しているフィルタ７５をダクト７２内に挿入する。このことにより、フィルタ７５がフロント板７１０と筐体７３とによって挟まれることが抑制され、フィルタ７５が破損することが回避される。
【００５６】
ここで、本実施の形態においては、インナーカバー７７がフィルタ７５をダクト７２内に挿入し得る状態でのみ、フィルタ７５の交換が可能である。さらに説明をすると、本実施の形態においては、フィルタ７５の交換が可能な状態においては、カセット７１を筐体７３内へ収容するとインナーカバー７７が確実に閉じられる。
【００５７】
また、フィルタ７５の一部がダクト７２から突出している状態においては、フィルタ７５の挿入方向（矢印Ｂ１参照）先端とダクト７２の内側面との間に間隙が形成されている状態である。この状態においてダクト７２内を空気が流れるとすると、空気流の一部はフィルタ７５を通過することなく下流側へと流れる。すなわち、空気流の一部は、フィルタ７５の挿入方向（矢印Ｂ１参照）先端とダクト７２の内側面との間を通過して、下流側へと流れる。このため、フィルタ７５が空気を清浄する効率が低下し得る。
一方で、本実施の形態においては、カセット７１を筐体７３内へ収容するとともにフィルタ７５の全体がダクト７２内に挿入されることから、フィルタ７５が空気を清浄する効率を低下させることが抑制される。
【００５８】
さらに、本実施の形態においては、上述のように一部がダクト７２から突出しているフィルタ７５であっても、カセット７１を筐体７３内へ収容することによって、ガイド部材７４及びインナーカバー７７によりダクト７２内へフィルタ７５の全体が挿入される。したがって、本実施の形態と異なり、フィルタ７５の全体を確実に挿入することが必要な場合と比較して、本実施の形態は、フィルタ７５を交換する作業の作業効率を向上させ得る。
【００５９】
なお、本実施の形態においては、ガイド部材７４が、ダクト７２に開閉可能に設けられたインナーカバー７７を介して、フィルタ７５をダクト７２に向けて押し込む。ここで、本実施の形態とは異なり、インナーカバー７７を有しない場合、ガイド部材７４がフィルタ７５をダクト７２に向けて直接押し込むこととなる。このガイド部材７４が直接フィルタ７５を押し込む構成においては、カセット７１を筐体７３内へ収容することにともない、フィルタ７５がガイド部材７４に直接接触しフィルタ７５が衝撃を受ける場合がある。
【００６０】
一方、本実施の形態においては、上述のようにインナーカバー７７がガイド部材７４と接触した後に、回転したインナーカバー７７がフィルタ７５を押し込む構成である。したがって、仮にインナーカバー７７がガイド部材７４と接触することにより衝撃を受けた場合であっても、インナーカバー７７が回転することにともないインナーカバー７７が受けた衝撃が緩和され、ガイド部材７４へ伝わる衝撃は低減される。
【００６１】
＜フィルタ７５の挿入位置＞
ここで、図９を参照しながら、フィルタ７５の挿入位置について説明をする。図９は、インナーカバー７７及びフィルタ７５の位置関係を示す説明図である。
図９に示すように、インナーカバー７７がフィルタ７５（図示の例では第４フィルタ７５４）を押す力である力Ｆの分力は次のようになる。すなわち、第４フィルタ７５４をダクト７２に挿入する向き（矢印Ｂ１参照）の分力Ｆａと、筐体７３からカセット７１を引き出す向き（図４（ａ）の矢印Ａ２参照）の分力Ｆｂとになる。
【００６２】
さて、カセット７１を筐体７３に挿入する向き（矢印Ａ１参照）と、インナーカバー７７とがなす角を角αとする。この角αが４５度より小さい角度において、インナーカバー７７が第４フィルタ７５４を押圧すると、ダクト７２に挿入する向き（矢印Ｂ１参照）の分力Ｆａが、カセット７１を引き出す向き（図４（ａ）の矢印Ａ２参照）の分力Ｆｂよりも大きくなる。
【００６３】
したがって、角αが４５度より小さい角度で、インナーカバー７７が第４フィルタ７５４を押圧する位置関係であると、より効率よくインナーカバー７７によって第４フィルタ７５４をダクト７２に挿入し得る。さらに説明すると、角αが４５度よりも小さい角度において、インナーカバー７７が第４フィルタ７５４を押圧し始める位置関係とすると、より確実に第４フィルタ７５４をダクト７２に挿入し得る。
ここで、図６に示すように、本実施の形態においては、角αが４５度よりも小さい角度において、インナーカバー７７がフィルタ７５を押圧し始める位置関係とするために、フィルタ７５の枠体７５６がマーク７５９を備えている。図３及び図６に示すように、ユーザがダクト７２の挿入口７２１にフィルタ７５を挿入する際に、このマーク７５９の位置までフィルタ７５を挿入することにより、上述の角αが４５度以下でインナーカバー７７がフィルタ７５を押圧し始める位置関係となる。マーク７５９は、いわば、ユーザがフィルタ７５を挿入するときの基準（目印）となる。
【００６４】
＜変形例＞
次に、図１０を参照しながら、変形例について説明をする。図１０は、変形例における空気清浄部７００を示す斜視図である。
図１０に示すように、空気清浄部７００はダクト７２の上面に挿入口７２１が複数形成されている。このことにより、空気清浄部７００においては、フィルタ７５がダクト７２から上下方向に引き出し可能（図中矢印Ｇ１及びＧ２参照）に設けられている。
【００６５】
また、インナーカバー７７７は、ダクト７２の上面に設けられている挿入口７２１を全て覆う寸法で構成されている。そして、インナーカバー７７７は、閉じられた状態において、挿入口７２１が設けられているダクト７２の上面を覆うことにより、挿入口７２１を通してダクト７２へ空気が流れ込むことを抑制する。さらに、インナーカバー７７７は、画像形成装置１００のリア側（図１の紙面奥側）の端部に回転軸７７０を有する。図示の例においては、回転軸７７０は水平方向に配置される。よって、インナーカバー７７７は、回転軸７７０を中心として回転可能である（矢印Ｈ１及びＨ２参照）。
【００６６】
この変形例においては、フィルタ７５の自重により、フィルタ７５をダクト７２に挿入し得る（矢印Ｇ１参照）。また、インナーカバー７７７が自重により、フィルタ７５をダクト７２に挿入する方向に押圧し得る。よって、この変形例においては、フィルタ７５をダクト７２に挿入する際の操作性がより向上する。
なお、図１に示すように、空気清浄部７００は、画像形成装置１００の下方に設けられる。したがって、この変形例のように引き出されたダクト７２の上面側に挿入口７２１が位置する場合、画像形成装置１００のフロント側（図１の紙面手前側）に立つユーザから見て、フィルタ７５の視認性が向上し作業性がより向上する。
【００６７】
次に、図１１を参照しながら、ガイド部材７４の変形例について説明をする。図１１は、変形例におけるガイド部材７４を示す斜視図である。
上述の実施の形態においては、ガイド部材７４を第１接触面７４１、第２接触面７４２、第３接触面７４３を有する構成として説明をしたがこれに限定されない。
例えば、図１１（ａ）に示すように、ガイド部材７４０を、インナーカバー７７側に突出した曲面７４０１を有する構成であってもよい。この曲面７４０１が、カセット７１（図３参照）が挿入される動作にともないインナーカバー７７と接触する部分を連続的に変化させながら、インナーカバー７７を閉める。
【００６８】
また、図１１（ｂ）に示すように、ガイド部材７４１０を、複数の部材から形成してもよい。図示の例においては、ガイド部材７４１０は、第１ピン７４１１、第２ピン７４１２、及び第３ピン７４１３を有する。第２ピン７４１２は、第１ピン７４１１を基準として、インナーカバー７７側で、かつカセット７１（図３参照）が挿入される方向（矢印Ａ１参照）の下流側に位置する。第３ピン７４１３は、第２ピン７４１２を基準として、インナーカバー７７側で、かつカセット７１（図３参照）が挿入される方向（矢印Ａ１参照）に位置する。
これらの第１ピン７４１１、第２ピン７４１２、及び第３ピン７４１３が、カセット７１（図３参照）が挿入される動作にともないインナーカバー７７とこの順で接触しながら、インナーカバー７７を閉める。
【００６９】
さて、上述の実施形態においては、図５に示すようにファン７９を画像形成装置１００のリア側（図１の紙面奥側）に設けるものとして説明したが、これに限定されない。例えば画像形成装置１００のフロント側（図１の紙面手前側）にファン７９が設けられる構成であってもよい。
また、上述の実施形態においては、空気口７１３から取り込まれた空気を、フロント側（図１の紙面手前側）からリア側（図１の紙面奥側）に向けて流し、排出口７９０から空気清浄部７０の外へ排出させる構成として説明したが、これに限定されない。例えば、上述の実施形態とは反対に、リア側に設けられた空気口から空気を取り込み、この空気をリア側からフロント側へ向けて流し、フロント側から空気清浄部７０の外へ排出させる構成であってもよい。
【００７０】
なお、本発明は、装置本体と、前記装置本体に設けられ用紙に画像を形成する画像形成部と、前記装置本体に引き出し可能に設けられ吸入された空気が内部を流れる空気流路部と、前記空気流路部の前記内部に引き出し可能に設けられ、当該空気流路部の当該内部を流れる空気を清浄する空気清浄材と、前記装置本体から引き出されている前記空気流路部を当該装置本体に収容させる動作により、当該空気流路部から引き出されている前記空気清浄材を当該空気流路部へと装着させる装着機構とを含む画像形成装置として捉えることもできる。本構成により、引き出されている空気流路部を装置本体に収容させることにともない空気清浄材が損傷を受けることを抑制することができる。
【符号の説明】
【００７１】
１Ｙ，１Ｍ，１Ｃ，１Ｋ…画像形成ユニット、１９…二次転写部、２１…定着装置、７０…空気清浄部、７１…カセット、７３…筐体、７４…ガイド部材、７５…フィルタ、７７…インナーカバー、７９…ファン、１００…画像形成装置、７１１…把手部、７１３…空気口、Ｓ…用紙
【図１】
0005834764.tif 000002
【図２】
0005834764.tif 000003
【図３】
0005834764.tif 000004
【図４】
0005834764.tif 000005
【図５】
0005834764.tif 000006
【図６】
0005834764.tif 000007
【図７】
0005834764.tif 000008
【図８−１】
0005834764.tif 000009
【図８−２】
0005834764.tif 000010
【図９】
0005834764.tif 000011
【図１０】
0005834764.tif 000012
【図１１】
0005834764.tif 000013